(57)【要約】ＥＣデバイスでの適した電圧降下を確実にするために、ＥＣデバイスに印加される充電／放電電圧を制御するための方法および装置である。適した電圧降下は、ＥＣデバイス近傍の温度測定に基づき決定される。デバイスの充電レベルは、ＥＣデバイスの動作での干渉を最小にするように設計された技術を用いたクーロンカウンタ回路を用いてモニターされる。
2004507775.tif 000002
【特許請求の範囲】
【請求項１】
エレクトロクロミック（ＥＣ）の充電状態を制御するための装置であり、
前記ＥＣデバイスに充電電圧を供給するための制御可能な電源と、
前記ＥＣデバイス近接の温度の指示を与えるための温度センサと、
前記温度指示に応答して、前記制御可能な電源により前記ＥＣデバイスに印加される適した電圧を決定するためのコントローラとを備え、
前記決定された電圧が充電速度を限定することを特徴とする装置。
【請求項２】
前記ＥＣデバイスに与えられる充電量をカウントするための充電カウンタを更に備え、
前記ＥＣデバイスに与えられた前記充電量が所望のレベルに達した時、前記制御可能な電源に対し、前記充電用の電圧の生成を停止させる請求項１記載の装置。
【請求項３】
前記制御可能な電源により与えられた前記電圧を前記ＥＣデバイスに、充電電流および放電電圧の１つとして、選択的に印加するための極性反転回路を更に備える請求項２記載の装置。
【請求項４】
前記充電カウンタは、
前記制御可能な電源により生成された前記電流に比例した基準電流を生成するためのカレントミラーと、
前記基準電流により、繰返して、キャパシタが第１のしきい値レベルに充電され、そして、第２のしきい値レベルに放電されるように、前記基準電流を前記キャパシタに選択的に印加するためのスイッチとを備え、
前記キャパシタが前記第１のしきい値レベルに充電される毎に、および前記キャパシタが前記第２のしきい値レベルに放電される毎に、前記コントローラにパルスが供給される請求項２記載の装置。
【請求項５】
充電モードの間に与えられたパルスに応答してインクリメントされ、そして、放電モードの間に与えられたパルスに応答してデクリメントされ、そのカウント値が前記ＥＣデバイスの現充電レベルを示すカウンタを更に備える請求項４記載の装置。
【請求項６】
前記ＥＣデバイスの前記充電レベルＱＥＣは次式により適切に定義され、
ＣＲＥＦ＊２（ＶＨ−ＶＬ）＊ＣＯＵＮＴ
ＣＲＥＦは基準キャパシタのキャパシタンス、ＣＯＵＮＴは現在格納のカウンタ値、ＶＨは第１のしきい値レベル、ＶＬは第２のしきい値レベルである請求項５記載の装置。
【請求項７】
前記制御可能な電源は、前記ＥＣデバイスに対して充電用電流を出力し、
前記制御可能な電源により生成されるべき前記適した電圧は、最小の充電電圧および最大充電電圧によって限定される充電電圧を含み、前記最小および最大の充電電圧は温度に依存する請求項１記載の装置。
【請求項８】
前記最大充電レベルは、前記ＥＣデバイスの褐色化または泡立ち化を避けるために選択される請求項７記載の装置。
【請求項９】
前記最小充電レベルは、前記ＥＣデバイス内で色彩変化の最小速度を与えるために選択される請求項７記載の装置。
【請求項１０】
エレクトロクロミック（ＥＣ）の充電状態を制御するための装置であり、前記エレクトロクロミックデバイスは充電電流を受け取り、前記装置は、
前記充電電流に比例した基準電流を受け取るように接続され、前記エレクトロクロミックデバイスに関係した公知のインピーダンスを有する基準インピーダンスと、
前記基準インピーダンスの電圧レベルを、上方および下方のしきい値レベルと比較し、そして、前記比較を示す出力信号を出力するために、前記基準インピーダンスに接続されたウインドウコンパレータと、および、
前記ウインドウコンパレータの出力信号を用いて、前記ＥＣデバイスの充電レベルを決定するためのコントローラとを備えることを備えることを特徴とする装置。
【請求項１１】
前記デバイス近傍の温度を決定するための温度センサと、
前記決定された温度に応答して、前記ＥＣデバイスのための適した充電電圧を決定し、そして前記充電電圧を前記適した充電電圧に適応させるための前記コントローラとを更に備える請求項１０記載の装置。
【請求項１２】
前記適した充電電圧は、最小充電電圧と最大充電電圧により限定され、前記最小および最大充電電圧は温度に依存する請求項８記載の装置。
【請求項１３】
エレクトロクロミック材料と光学的に協働するレンズ部分を有するメガネ内において、前記エレクトロクロミック材料の充電状態を制御するための装置は、
前記エレクトロクロミックデバイスに電流を供給するための制御可能な電流源と、
前記エレクトロクロミックデバイスに与えられた充電量をカウントするための充電カウンタと、
前記エレクトロクロミックデバイス近傍の温度の指示を与えるための温度センサと、および
前記温度の指示に応答して、前記制御可能な電流源により生成された適した電圧を決定するためのコントローラとを備え、
前記エレクトロクロミックデバイスに与えられた前記充電量が所望のレベルに達した時、前記コントローラは、前記電流源に、前記電流の生成を停止させることを特徴とする装置。
【請求項１４】
前記制御可能な電流源により与えられた前記電流を前記エレクトロクロミックデバイスに、充電電流および放電電流の１つとして、選択的に印加するための極性反転回路を更に備える請求項１３記載の装置。
【請求項１５】
前記充電カウンタは、
前記制御可能な電流源により生成された前記電流に比例した基準電流を生成するためのカレントミラーと、
前記基準電流により、繰返して、キャパシタが第１のしきい値レベルに充電され、そして、第２のしきい値レベルに放電されるように、前記基準電流を前記キャパシタに選択的に印加するためのスイッチとを備え、
前記キャパシタが前記第１のしきい値レベルに充電される毎に、および前記キャパシタが前記第２のしきい値レベルに放電される毎に、前記コントローラにパルスが供給される請求項１３記載の装置。
【請求項１６】
充電モードの間に与えられたパルスに応答してインクリメントされ、そして、放電モードの間に与えられたパルスに応答してデクリメントされ、そのカウント値が前記ＥＣデバイスの現充電レベルを示すカウンタを更に備える請求項１５記載の装置。
【請求項１７】
前記ＥＣデバイスの前記充電レベルＱＥＣは次式により適切に定義され、
ＣＲＥＦ＊２（ＶＨ−ＶＬ）＊ＣＯＵＮＴ
ＣＲＥＦは基準キャパシタのキャパシタンス、ＣＯＵＮＴは現在格納のカウンタ値、ＶＨは第１のしきい値レベル、ＶＬは第２のしきい値レベルである請求項１５記載の装置。
【請求項１８】
前記制御可能な電流源は、前記エレクトロクロミックデバイスに対して充電用電圧を出力し、
前記制御可能な電流源により生成されるべき前記適した電流は、最小の充電電圧および最第充電電圧によって限定される充電電圧を含み、前記最小および最大の充電電圧は温度に依存する請求項１記載の装置。
【請求項１９】
エレクトロクロミックの充電状態を制御するための装置であり、
前記エレクトロクロミックデバイスに充電電圧を供給するための制御可能な電源と、
前記エレクトロクロミックデバイスに与えられた充電量を下運とするための充電カウンタと、
前記エレクトロクロミックデバイス近接の温度の指示を与えるための温度センサと、
前記温度に応答して、前記制御可能な電流源により前記ＥＣデバイスに印加される適した電圧を決定するためのコントローラとを備え、
前記エレクトロクロミックデバイスに与えられた前期充電量が所望のレベルに達した時、前記コントローラは、前記電流源に、前記電流の生成を停止させることを特徴とする装置。
【請求項２０】
前記制御可能な電源により与えられた前記電圧を前記エレクトロクロミックデバイスに、充電電流および放電電圧の１つとして、選択的に印加するための極性反転回路を更に備える請求項１９記載の装置。
【請求項２１】
前記充電カウンタは、
前記制御可能な電流源により生成された前記電流に比例した基準電流を生成するためのカレントミラーと、
前記基準電流により、繰返して、キャパシタが第１のしきい値レベルに充電され、そして、第２のしきい値レベルに放電されるように、前記基準電流を前記キャパシタに選択的に印加するためのスイッチとを備え、
前記キャパシタが前記第１のしきい値レベルに充電される毎に、および前記キャパシタが前記第２のしきい値レベルに放電される毎に、前記コントローラにパルスが供給される請求項１９記載の装置。
【請求項２２】
充電モードの間に与えられたパルスに応答してインクリメントされ、そして、放電モードの間に与えられたパルスに応答してデクリメントされ、そのカウント値が前記エレクトロクロミックデバイスの現充電レベルを示すカウンタを更に備える請求項２１記載の装置。
【請求項２３】
前記エレクトロクロミックデバイスの前記充電レベルＱＥＣは次式により適切に定義され、
ＣＲＥＦ＊２（ＶＨ−ＶＬ）＊ＣＯＵＮＴ
ＣＲＥＦは基準キャパシタのキャパシタンス、ＣＯＵＮＴは現在格納のカウンタ値、ＶＨは第１のしきい値レベル、ＶＬは第２のしきい値レベルである請求項２２記載の装置。
【請求項２４】
エレクトロクロミックデバイス近傍の温度が変化した時に、前記エレクトロクロミックデバイスへの充電を所定のレベルに維持するための方法であって、前記充電は印加された電圧により導かれ、前記方法は、
（ａ） 前記デバイス近傍の温度を検出し、そして
（ｂ） 前記所定のレベルでの充電を維持するために、ステップ（ａ）で検出した温度に基づき、前記印加する電圧を調整することを特徴とする方法。
【請求項２５】
前記デバイスはエレクトロクロミックレンズである請求項２４記載の方法。
【請求項２６】
前記印加された電圧の極性は、前記充電を選択的に増大および減少するものである請求項２４記載の方法。
【請求項２７】
前記印加された電圧は、最小充電電圧および最大充電電圧により限定され、前記最小および最大充電電圧は温度に依存する請求項２４記載の方法。
【請求項２８】
エレクトロクロミックデバイス近傍の温度が変化した時に、前記エレクトロクロミックデバイスへの充電を所定のレベルに維持するための方法であって、前記充電は印加された電流により導かれ、前記方法は、
（ａ） 前記デバイス近傍の温度を検出し、そして
（ｂ） 前記所定のレベルでの充電を維持するために、ステップ（ａ）で検出した温度に基づき、前記印加する電流を調整することを特徴とする方法。
【請求項２９】
前記デバイスはエレクトロクロミックレンズである請求項２８記載の方法。
【請求項３０】
前記印加された電流の極性は、前記充電を選択的に増大および減少するものである請求項２８記載の方法。
【請求項３１】
前記印加された電流は、最小充電電圧および最大充電電圧により限定され、前記最小および最大充電電圧は温度に依存する請求項２８記載の方法。
【請求項３２】
電／光デバイスの充電を適合させるための方法であって、
（ａ） 前記デバイス近傍の温度を検出し、そして
（ｂ） 前記電／光デバイスでの所望の充電レベルを達成するために、検知した温度に基づき、充電速度および最大充電電圧を同時に調整するステップからなることを特徴とする方法。
【請求項３３】
前記電／光デバイスはエレクトロクロデバイスを含む請求項３２記載の方法。
【請求項３４】
前記電／光デバイスは、レンズ、車のフロントガラスおよび窓ガラスの１つと光学的に協働する請求項３４記載の方法。
【請求項３５】
前記方法は、めがねのハウジング内のコントローラにより実行され、前記めがねのハウジングは、前記電／光デバイスと光学的に協働するレンズと、前記充電用電圧を供給するための電源とを含む請求項３２記載の方法。
【請求項３６】
前記電源は、バッテリ、燃料電池および太陽電池のひとつを備える請求項３５記載の方法。
【請求項３７】
エレクトロクロミック（ＥＣ）デバイス近傍の温度に基づき、ＥＣに印加された合計の充電量および、ＥＣデバイスに印加された充電の速度を制御するステップを含む方法。
【請求項３８】
前記印加された充電を、所望の充電レベルが到達する決定値へ適応させるステップを含む請求項３７記載の方法。
【発明の詳細な説明】
【０００１】
（技術分野）
本発明は、エレクトロクロミックの制御に関し、より詳しくは、エレクトロクロミックの充電レベルの制御への使用に適した方法および装置に関する。
【０００２】
（背景技術）
エレクトロクロミック材料の光性質は、酸化状態で電気的な変化に応答して変化する。これにより、外部電源からの印加された電圧がエレクトロクロミック材料の還元または酸化を引き起こした時、その透過特性が変化する。充電状態を維持するために、エレクトロクロミックにおけるイオン流をバランス化させる充電が必要である。要求された電子およびイオン流を発生させることにより、エレクトロクロミックデバイスは、可逆の酸化、還元反応を用いて光学的な切換えを達成する。
【０００３】
一般のエレクトロクロミックデバイスは、永続的なエレクトロクロミック材料による少なくとも１つのフイルムを含む。その材料は、与えられた極性の電界の印加に反応して高透過、非吸収状態から、低透過、吸収または反射状態に変化する。光学的な変化の程度が印加された電圧により引き起こされた変化に直接に比例するので、エレクトロクロミックデバイスは、高透過状態と低透過状態との間で光透過の程度を示す。更に、これらのデバイスは、光学的状態の維持に電力消費を伴うことなく、選択された光学状態を長期間保持する。光学的な切換えは、逆極性の電界が印加された時に起きる。
【０００４】
上述したイオンおよび電子流を容易にするために、イオン的および電子的の双方で導電性のエレクトロクロミックのフイルムがイオン導電性の材料層に直接に物理的に接触する。そのイオン導電性材料は、非有機体、有機体、固体、液体またはゲルであってもよく、好ましくは、有機ポリマーである。エレクトロクロミックのフイルムおよびイオン導電性材料は、二つの電極間に配置され、積層されたセルを形成する。
【０００５】
エレクトロクロミックのフイルムに接近した透明体の導電性電極がカソードであれば、電流の印加により、フイルムを暗くさせる。極性を反転すると、エレクトロクロミックは切り替り、そして、そのフイルムは高透過状態に復帰する。典型的に、タングステンの酸化物のごときエレクトロクロミックフイルムは、スズ酸化物やインジウムスズ酸化物のような透明性導電フイルムでコーティングされた基板上に析出されて、１つの電極が形成される。
【０００６】
このようなエレクトロクロミックデバイスは、容量性成分により支配されるインピーダンスを有する非直線性の受動デバイスとして形成されるので、エレクトロクロミックデバイスに転送される充電量は、典型的に正の電源または電流源および電流シンクにより制御される。
【０００７】
ＥＣデバイスを制御するための公知の構成では、アップ／ダウンカウンタがアップ／ダウン信号およびクロック信号に応答して、所望のＥＣ充電レベルを表すデジタルワードを生成している。デジタルワードを、電流源（またはシンク）がＥＣデバイスに所望の充電レベルを与えるのに適した、電流源／シンクのプログラミング信号に変換するために、制御ロジックが使用される。
【０００８】
（発明の開示）
（発明が解決しようとする技術的課題）
不幸にも、上記の構成は、種々のコンポーネント（例えば、電流源および電流シンクのトランジスタ）は、時間経過および温度に対してドリフトしがちな特性があり、そのため、アップ／ダウンカウンタにより生成されたデジタルワードにより示されたものよりも、ＥＣデバイスにより多く、またはより少なく充電する。更に、ＥＣデバイス自身は、時間および温度に対し、動作的な劣化にさらされる。更には、ＥＣデバイスの充電に必要なエネルギーの量は、そのデバイスを放電させるのに必要なエネルギーの量よりも大きい。このため、与えられた期間の時間または温度にわたって、ＥＣのエラーが蓄積され、そのため、ＥＣデバイスは、所望の状態よりもひどく明るくなったり、暗くなる。
【０００９】
Ｊ．Ｐ．Ｍａｔｔｈｅｗｓ その他による“Ｅｆｆｅｃｔ ｏｆ Ｔｅｍｐｅｒａｔｕｒｅ ｏｎ Ｅｌｅｃｔｒｏｃｈｒｏｍｉｃ Ｄｅｖｉｃｅ Ｓｗｉｔｃｈｉｎｇ Ｖｏｌｔａｇｅ”（Ｅｌｅｃｔｒｏｃｈｉｍｉｃａ Ａｃｔａ ４４（１９９９）の紙面では、エレクトロクロミックデバイスのカラーを温度で変えるのに必要なスイッチング電圧を開示している。しかしながら、その紙面は、エレクトロクロミックデバイスに与えられる充電を所定のレベルに維持するための方法および装置については開示および示唆をしていない。
【００１０】
（発明の概要）
この発明は、エレクトロクロミックの充電レベルの制御についての記述内で述べている。しかしながら、当業者に明らかなように、エレクトロクロミックが電気／光デバイスのより広いカテゴリの一部を形成しているので、この発明は、他の電気／光デバイス、特に、以下に述べるように、よく制御された充電から益のあるものや、放電方法および装置に同様に適用できることが理解されよう。さらに、デバイスへ転送される充電に関する記述の一部を、例えばデバイス内に位置する電極での充電の移動に反映させてもよい。この議論のために、デバイスは、主に、電気−光（例えばエレクトロクロミック）セルまたは充電の転送に用いる導体にそれぞれ関係したセルとして記述される。この発明は、デバイスの性能を目に見えて劣化させる別の反応を発生させることなく、長期間にわたって、ＥＯまたはＥＣデバイスの動作について有利に提供する。
【００１１】
（発明を実施するための最良の形態）
図１は、この発明による充電エラー修正装置を含む電気クロム制御装置１００を示す。その電気クロム制御装置１００は、エレクトロクロミックＥＣに与えられる充電の量を制御するために使用される。エレクトロクロミックＥＣは、容量性コンポーネントにより支配されるインピーダンスを有する非直線の受動デバイスとして設計されているので、そのエレクトロクロミックＥＣは、図１では、第１の端子（１で記した）および第２の端子（２で記した）を有するキャパシタとして示されている。
【００１２】
エレクトロクロミックデバイスＥＣの第１の端子１に印加されたカラー用電流ＩＣＯＬＯＲに応答して、エレクトロクロミックデバイスＥＣの充電が増し、これにより、デバイスを暗くさせる。エレクトロクロミックデバイスＥＣの第１の端子に印加された白色用の電流ＩＢＬＥＡＸＨに応答してエレクトロクロミックデバイスＥＣの充電が減少し、これにより、デバイスを明るくさせる。当業者であれば、採用したエレクトロクロミックデバイスＥＣの接続およびタイプに応じて、カラー用電流ＩＣＯＬＯＲおよび白色用電流ＩＢＬＥＡＣＨの極性を変えてもよいことが理解されよう。
【００１３】
エレクトロクロミック制御装置１００は、基準電圧回路１０５、バッテリ１０８、ユーザーインタフェイス１１０、コントローラ２００、Ｄ／Ａコンバータ１１５、パワーコンバータ１２０、Ａ／Ｄコンバータ１４０、温度センサ１４５、充電カウンタ３００、極性反転回路１２５、検知抵抗Ｒ１、および制御されるエレクトロクロミックデバイスＥＣを含む。
【００１４】
バッテリ１０８は、装置１００内のすべてのパワーを供給するために使用される。バッテリは、＋Ｖで記した正の端子とグランドとして記した負の端子を有する。基準電圧回路１０５は、バッテリ１０８により給電され、出力端子に制御された基準電圧信号ＶＲＥＦを出力する。その基準電圧信号ＶＲＥＦは、Ｄ／Ａコンバータ１１５、Ａ／Ｄコンバータ１４０および充電カウンタ３００に供給される。
【００１５】
ユーザーインタフェイス１１０は、一連のプッシュ釦またはコントローラ２００へ、エレクトロクロミックデバイスＥＣを明るくする信号（ｂｌｅａｃｈ）Ｂまたは暗くする信号（ｃｏｌｏｒ）Ｃｋ情報を与えるのに適した他のユーザーインタフェイス手段を含んでもよい。ユーザーインタフェイス１１０により与えられたユーザーインタフェイス信号Ｂ６およびＣに応答して、コントローラ２００は、エレクトロクロミックデバイスＥＣをそれぞれ明るくしたり暗くする。
【００１６】
コントローラ２００は、エレクトロクロミックデバイスＥＣに印加される最大制限電圧を示す第１の出力信号ＶＣＯＮＴを与える。コントローラ２００により決定されるこの制限電圧は、温度の関数である。コントローラの第１の出力信号ＶＣＯＮＴは、Ｄ／Ａコンバータ１１５により、アナログパワー制御信号ＰＣに変換され、パワーコンバータ１２０に供給される。
【００１７】
パワーコンバータは、制御可能な電圧源１２０を含む。パワー制御信号ＰＣの電圧レベルの増大または減少に応答して、パワーコンバータ１２０は、その出力電圧をそれぞれ増大するか減少させる。パワーコンバータでの使用のためにバッテリから引き出された入力電流は、バッテリ寿命を長くするためにパワーコンバータにより制限される。パワーコンバータ１２０により出力された出力電流Ｉおよび出力電圧Ｖは、エレクトロクロミックデバイスＥＣに印加して、そのエレクトロクロミックデバイスを充電（暗くするまたはカラー用）または放電（明るくするまたは白くする）するために、極性反転回路１２５に供給される。パワーコンバータ１２０が制御可能な電圧源として記述されているが、この発明の別の実施例では、制御可能な電流源を含んでもよいことが理解されよう。いずれの場合でも、パワーコンバータ１２０は、エレクトロクロミックデバイスＥＣの充電または放電レベルを適切なものにするために、制御可能に動作する。
【００１８】
コントローラ２００は、所望の“充電”モードの動作を示す、第２の出力信号ＣＨＡＲＧと、所望の“放電”モードの動作を示す、第３の出力信号ＤＩＳＣＨＡＲＧを出力する。この第２のＣＨＡＲＧおよび第３のＤＩＳＣＨＡＲＧ信号は、極性反転回路１２５に供給される。
【００１９】
極性反転回路は、図示のように、パワーコンバータ１２０により与えられた電流Ｉを選択的にＥＣデバイスに与えて、放電モードが充電モードにするために、ブリッジ形態に配列された４個のスイッチＳＷＡ〜ＳＷＤを含む。
【００２０】
各スイッチＳＷＡ〜ＳＷＤは、それぞれ入力端子、出力端子および制御端子を有する １ＦｏｒｍＡ（単一極、単一切換え）のスイッチからなる。パワーコンバータ１２０からの出力電流Ｉは、スイッチＳＷＡおよびＳＷＣの入力端子に供給される。スイッチＳＷＡの出力端子は、スイッチＳＷＢの入力端子に接続される。スイッチＳＷＣの出力端子は、スイッチＳＷＤの入力端子に接続される。スイッチＳＷＢおよびＳＷＣの出力端子は、グランドに接続される。エレクトロクロミックデバイスＥＣは、周知のブリッジ接続として、スイッチＳＷＡおよびＳＷＣの出力端子に接続される。
【００２１】
充電モードの動作では、制御信号ＣＨＡＲＧが、スイッチＳＷＡおよびＳＷＤを閉にするために用いられ、制御信号ＤＩＳＣＨＡＲＧが、スイッチＳＷＢおよびＳＣＤを開にするために用いられる。この充電動作モードでは、パワーコンバータ１２０からの電流は、抵抗Ｒ１、スイッチＳＷＡ、エレクトロクロミックデバイスＥＣおよびスイッチＳＷＤからグランドへ流れる。この動作モードの間、エレクトロクロミックデバイスＥＣに流れる電流が、エレクトロクロミックデバイスを充電させ、これにより、そのデバイスを暗くするか、カラー化させる。
【００２２】
放電モードの動作では、制御信号ＣＨＡＲＧは、スイッチＳＷＡおよびＳＷＤを開にさせるために使用され、制御信号ＤＩＳＣＨＡＲＧは、スイッチＳＷＢおよびＳＷＣを閉にさせるために使用される。この動作モードでは、パワーコンバータ１２０からの電流は、抵抗Ｒ１、スイッチＳＷＣ、エレクトロクロミックデバイスＥＣおよびスイッチＳＷＢからグランドへ流れる。この放電動作モードの間、エレクトロクロミックデバイスＥＣに流れる電流が、エレクトロクロミックデバイスを放電させ、これにより、そのデバイスを明るくするか、白くさせる。
【００２３】
前述したように、エレクトロクロミックデバイスＥＣは、容量性および抵抗性のコンポーネントの双方を有する非リニアのデバイスとして特徴つけられてもよい。そのため、ＥＣデバイスに与えられた充電の合計は、Ｑ＝ＣＶの式で適切に定義される。ここでＱＣ、Ｖは、それぞれ、クーロンで計測される充電量、ファラッドで計測されたＥＣのキャパシタンス、および電圧で計測された充電電圧である。
【００２４】
エレクトロクロミックデバイスに対する適した充電（または放電）電圧が温度に依存することに気付くことが重要である。更に、種々のエレクトロクロミックデバイス間で適した充電および放電電圧が異なる。適した充電および放電電圧は、最小および最大電圧レベルにより拘束される。
【００２５】
適した電圧降下は、ＥＣデバイスの近傍（つまり近い、丁度、または以内）の温度測定に関連して決定される。充電／放電速度は電圧降下により決定されるので、適した電圧の選択でのファクターは、制御されるデバイスの適した充電／放電速度となる。デバイスの充電レベルは、ＥＣデバイスの動作において障害を最小するように設計された技法を有するクーロンカウンタを用いてモニタされる。本発明者は、エレクトロクロミックデバイスでの最大電圧降下が温度によって変化し、許容された最大を超えた電圧降下がエレクトロクロミックデバイスを損傷させることを認識した。更に、特定の温度で最小電圧以下の電圧降下が、ＥＣデバイスを損傷させない充電および放電時間を増すことにより、製品の所望の性能を低下させることを認識した。当該発明では、エレクトロクロミックデバイスＥＣを温度変化に適合するように有益に制御する。
【００２６】
【表１】
2004507775.tif 000003
【００２７】
表１は、温度に依存する例示のエレクトロクロミックデバイスに対する最大および最小のカラー用（充電）電圧を示す。同様に表２は、温度に依存する例示のエレクトロクロミックデバイスに対する最大および最小の白くさせる（放電）電圧を示す。表２の負の極性の表示は、放電動作モードの間にＥＣに印加された放電電圧の関連した極性を示す。
【００２８】
表１を参照し、周囲温度を７７Ｆ（２５℃）と仮定すると、最大カラー用電圧は１．２０３Ｖであり、最小カラー用電圧は１．１７４Ｖである。すなわち、充電動作モード時にエレクトロクロミックデバイスに通過する電流Ｉが、１．１７４Ｖボルトの最小電圧および１．２０３Ｖの最大電圧を有する電圧降下を生成しなくてはならない。コントローラ２００は、これらの制限が固定されることを確実にする。同様に、同じ温度で、カラー化（つまり充電）されたエレクトロクロミックデバイスは、１．５２９Ｖボルトの最小電圧および０．５９９３Ｖの最大電圧で、白くされなければならない。
【００２９】
【表２】
2004507775.tif 000004
【００３０】
充電カウンタ３００は、抵抗Ｒ１での電圧ＶＴＲ１を検知し、その測定電圧を量子化した測定電流に変換し、その量子化した測定電流をコントローラ２００にカウント信号経路を通じてカウンタ信号として供給する。この方法では、コントローラ２００は、エレクトロクロミックデバイスＥＣの実際の充電レベルを決定できる。それゆえ、抵抗Ｒ１での電圧（ＶＲ１）は、充電または放電電流に比例する。その充電カウンタ３００は、次式のごとく、充電または放電電流Ｉに比例した電流（Ｉ２、Ｉ３）を生成するために用いる。
Ｉ２ ∝ Ｉ・（Ｒ１／Ｒ２）
【００３１】
生じた電流は、周知のキャパシタンスを持つキャパシタＣ２をそれぞれ充電、放電するために使用され、周知のキャパシタの充電／放電サイクルは、ＥＣデバイスから所定の充電量を与えた（または除去した）ことを表す。
【００３２】
充電カウンタ３００は、キャパシタＣ２の充電レベルが上方のしきい値レベルを超過する毎に、および下方のしきい値レベルを下回る毎に、カウンタ２００につながる出力信号経路上にパルスを出力する。コントローラ２００は、応答するように、パルスの個数をカウントし、メモリ内のカウンタ格納エリアにその結果を格納する。コントローラ２００が充電モードでシステムを動作させる場合、受け取ったパルスは、カウンタの位置をインクリメントするために用いられる。各パルスは、充電量（Δｑ）を示し、充電量の個数（ｎ）に充電量（Δｑ）を乗じたものが合計の充電量 Ｑ＝ｎ・Δｑ となる。カウンタにより示された合計の充電は、抵抗Ｒ１、Ｒ２およびキャパシタＣ２およびサンプル・ホールド回路のゲインの値により更にスケール変更される。
【００３３】
温度センサ１４５は、周囲温度か、またはこれとは別にエレクトロクロミックデバイスＥＣの実際の温度を検出する。実施例１では、温度センサ１４５は、Ａ／Ｄコンバータ１４０への上記温度としてアナログの指示を出力する。Ａ／Ｄコンバータ１４０は、それに応答して、前記アナログ温度Ｔをデジタルの温度ワードまたは信号ＴＤに変換し、コントローラ２００に更に別の処理のために供給する。温度センサ１４５は、ＥＣデバイスの近傍、またはその上に、またはその内部に位置してもよいことがわかる。
【００３４】
本発明による上述した実施例は、制御可能な電圧源を含むパワーコンバータ１２０の使用を考慮している。つまり、制御信号ＰＣは、エレクトロクロミックデバイスＥＣでの電圧降下が、エレクトロクロミックデバイスのインピーダンスに比例してそのエレクトロクロミックデバイスに電流が流れるように、パワーコンバータ１２０の出力電圧を制御する。先に述べたように、パワーコンバータ１２０が制御可能な電流源であってもよい。つまり、制御信号ＰＣは、エレクトロクロミックデバイスＥＣに流れる電流が、制御信号ＰＣに関して決定されるように、パワーコンバータ１２０の出力電流を制御する。
バッテリを用いた本発明の好ましい実施例では、パワーコンバータ１２０は、制御可能な電流源を含む。バッテリー給電による動作の記述では、制御可能な電圧源は、バッテリからの電流が所定の上限リミットを超過しないことを保証するのに必要なときに、パワーコンバータ１２０の出力電圧が低減されるので、望ましい。この方式では、制御可能な電圧源のパワーコンバータ１２０を用いた機構は、本発明の教示を、有限の電流供給能力を持つ実際のバッテリに有利に適用する。
【００３５】
図３は、図１のエレクトロクロミック制御システム内での使用に適した充電カウンタ回路の回路図である。特に、その充電カウンタ回路３００は、サンプルアンドホールド回路３１０、バッファ回路３２０、カレントミラー回路３３０およびコンパレータ回路３４０を含む。充電カウンタ３００は、抵抗Ｒ１での電圧ＶＲ１を検出し、その測定電圧を量子化した計測電流値に変換し、そして前記量子化した測定電流値を、カウント信号経路を通じてカウンタ信号としてコントローラ２００に供給する。この充電を決定することにより、この発明のコントローラ２００は、エレクトロクロミックデバイスを白くする適した信号および／または暗くする適したより正確に出力する。
【００３６】
サンプルアンドホールド回路３１０は、抵抗Ｒ１での電圧をサンプルし、そして、サンプルした電圧を、一端がグランドに接続さけたキャパシタに保持する。抵抗Ｒ１は、グランドから浮動になっていることに注目すべきである。サンプルアンドホールド回路３１０は、サンプルアンドホールドモジュールＳＨおよびキャパシタＣ１を含む。そのサンプルアンドホールドモジュールＳＨは、抵抗Ｒ１からの正の検知ラインＳＥＮＣＥ＋と負の検知ラインＳＥＮＣＥ−をとり込む。そのサンプルアンドホールドモジュールは、検知ラインＳＥＮＣＥ＋と検知ラインＳＥＮＣＥ−に与えられた抵抗Ｒ１での電圧を周期的にサンプルし、サンプルした電圧Ｖ（Ｉ）を出力する。キャパシタＣ１は、サンプルアンドホールドモジュールＳＨの出力部とグランドとの間に接続される。キャパシタＣ１は、サンプルアンドホールドモジュールＳＨにより与えられたサンプルした電圧Ｖ（Ｉ）を格納または保持する。サンプルした電圧Ｖ（Ｉ）は、エレクトロクロミックデバイスＥＣに流れるサンプル化した電流に比例する。
【００３７】
バッファ３２０は、サンプルアンドホールド回路３１０の出力をバッファし、サンプル化した電圧Ｖ（Ｉ）に比例する電流Ｉ２を出力する１つのゲインバッファを含む。特にバッファ３２０は、演算増幅器Ａ１、トランジスタＱ１および抵抗Ｒ２を含む。演算増幅器Ａ１は正の入力端子にサンプルした電圧Ｖ（Ｉ）を受け取る。演算増幅器Ａ１は、トランジスタＱ１の出力端子に接続された負の入力端子と、トランジスタＱ１の制御端子に接続された出力端子を有する。抵抗Ｒ２は、トランジスタＱ１の出力端子とグランドとの間に接続される。トランジスタＱ１の入力端子は、カレントミラー３３０からの電流Ｉ２を受け取る。
【００３８】
１つのゲインバッファ３２０は、抵抗Ｒ１の電圧と実質的に同じ、抵抗Ｒ２での電圧（つまりＶ（Ｉ））を維持するように機能する。Ｒ２での電圧は、Ｒ１での電圧に比例し、サンプルアンドホールド回路内の差動増幅器のゲインが１ならば、実質的に同一に維持される。この構成では、電流Ｉ２は図１のエレクトロクロミックデバイスＥＣに流れる電流Ｉに比例する。
【００３９】
カレントミラー３３０は、５個のトランジスタ（Ｑ２〜Ｑ６）を備え、それぞれが入力端子、出力端子および制御端子を持つ。トランジスタＱ２は、図示のごとく、ＰＭＯＳトランジスタであり、その入力端子がＶ＋に接続され、その制御および出力端子は相互に接続され、同トランジスタＱ２は電流源を形成する。トランジスタＱ２での電圧降下により生じた電流Ｉ２は、バッファ回路３２０に与えられる。先に述べたように、バッファ回路３２０は、抵抗Ｒ２ての電圧が抵抗Ｒ１での電圧に等しくなるように、電流Ｉ２を制御する。そのため、電流Ｉ２は、図１のエレクトロクロミックデバイスＥＣに流れる電流に接近する。
【００４０】
トランジスタＱ２の制御端子は、共にＰＭＯＳトランジスタＱ３およびＱ４のそれぞれの制御端子に接続される。トランジスタＱ３およびＱ４はＶ＋に接続された入力端子を持つ。トランジスタＱ３の出力端子は、コンパレータ回路３４０内の１ＦｏｒｍＣ（単一極、双倒）スイッチＳＷＰの第１の入力端子に接続される。
【００４１】
トランジスタＱ４の出力端子は、トランジスタＱ６の入力端子と、トランジスタＱ５、Ｑ６の制御端子に接続される。トランジスタＱ５、Ｑ６の出力端子は共にグランドに接続される。トランジスタＱ５の入力端子は、コンパレータ回路３４０内の１ＦｏｒｍＣスイッチＳＷＰの第２の入力端子に接続される。
【００４２】
カレントミラー回路３３０は、電流Ｉ２のほかに、電流Ｉ３Ａ、Ｉ３Ｂを出力する。Ｉ３Ａは、トランジスタＱ３の出力端子から与えられた電流であり、Ｉ３Ｂは、トランジスタＱ５の入力端子にとり込まれる電流である。電流Ｉ３Ａは、スイッチＳＷＰが“０”位置の時にスイッチＳＷＰの出力部に流れ、電流Ｉ３Ｂは、スイッチＳＷＰが“１”位置の時にスイッチＳＷＰの出力部から流れる。
【００４３】
コンパレータ回路３４０は、１ＦｏｒｍＣスイッチＳＷＰ、キャパシタＣ２、ウインドウコンパレータＷＣ１と１対の分割抵抗ＲＤ１、ＲＤ２を含む。先に述べたように、スイッチＳＷＰの第１の入力部（入力０）は、トランジスタＱ３の出力端子に接続され、スイッチＳＷＰの第２の入力部（入力１）は、トランジスタＱ５の入力端子に接続される。スイッチＳＷＰの出力端子は、ウインドウコンパレータＷＣ１の入力端子ＩＮに接続される。キャパシタＣ２は、スイッチＳＷＰの出力端子とグランドとの間に接続される。
【００４４】
ウインドウコンパレータＷＣ１のハイの基準入力端子Ｈは、基準電圧ＶＲＥＦに接続される。抵抗ＲＤ１およびＲＤ２は、基準電圧ＶＲＥＦとグランドとの間に直列にして接続される。ウインドウコンパレータＷＣ１のローの基準入力端子Ｌ抵抗ＲＤ１とＲＤ２の接続点に接続され、この接続点には、基準電圧ＶＲＥＦを分割して得られた基準電圧ＶＤが生じる。
【００４５】
ウインドウコンパレータＷＣ１は、その入力端子ＩＮでの電圧を、ハイおよびローの基準入力端子Ｈ、Ｌと比較する。説明上、ＶＲＥＦを１．５Ｖ、ＶＤを１．０Ｖと仮定する。
【００４６】
図１の電流ＩがエレクトロクロミックデバイスＥＣおよび抵抗Ｒ１に流れるので、Ｒ１での電圧は比例して増大する。この結果、サンプルアンドホールド回路３１０のキャパシタＣ１での電圧が増加し始めると、バッファ回路３２０への電流Ｉ２が増大する。これにより、スイッチＳＷＰ（現時点では端子０が選択）およびキャパシタＣ２を通じてキャパシタＣ２を充電する電流Ｉ３Ａも増大する。キャパシタＣ２での電圧がハイの基準電圧（例えば１．５Ｖ）へ増大した時、ウインドウコンパレータＷＣ１の制御出力Ｃは、０から１に切り変わり、これにより、スイッチＳＷＰにて端子０から端子１に切り替え、同スイッチの出力端子に接続する。これにより、キャパシタＣ２は、トランジスタＱ５、Ｑ６に電流Ｉ３Ｂが流れて放電する。キャパシタＣ２の放電に伴い、Ｃ２での電圧が低下する。キャパシタＣ２での電圧が、ウインドウコンパレータＷＣ１のローの基準入力端子に与えられた分割電圧ＶＤに低下した時、ウインドウコンパレータＷＣ１の制御出力が１から０に切り替り、スイッチＳＷＰの入力端子０をスイッチの出力端子に接続する。この結果、電流Ｉ３Ａ、Ｉ３ＢはそれぞれキャパシタＣ２を充電、放電させる。
【００４７】
キャパシタＣ２が、ハイの入力端子で基準電圧（たとえば１．５Ｖ）に充電される毎に、ローからハイへのロジック変化が、信号経路ＣＯＵＮＴを通じてコントローラ２００へ転送される。同様に、電流Ｉ３Ｂにより、キャパシタＣ２がローの基準入力での電圧ＶＤへ放電される毎に、ハイからローへのロジック変化が、信号経路ＣＯＵＮＴを通じてコントローラ２００へ転送される。この結果、各二つのロジック変化（１つのパルス）がコントローラ２００へ送信される毎に、コントローラ２００は、ハイおよびローの基準電圧およびキャパシタＣ２に関連した充電量により、ＥＣデバイスの充電が増加（充電モード）または減少（放電モード）したことを決定する。
【００４８】
キャパシタへの充電は、Ｑ＝ＣＶの式により定義され、Ｑはクーロンで測定した時の電荷に等しく、Ｃはファラッドで測定した時のキャパシタンスに等しく、Ｖはボルトで測定した時の電圧に等しい。充電カウンタ３００は、キャパシタＣ２の電圧レベルが１Ｖから１．５Ｖへ、および１Ｖへ戻る毎に１パルスが与えるので、充電カウンタよりの各パルスは、（．５Ｖ）Ｃ＋（．５Ｖ）Ｃ＝（１Ｖ）Ｃの充電に等しくなる。１ファラッドのキャパシタの場合は、各パルスが１クーロンに等しくなる。０．１μファラッドのようなより小さいキャパシタの場合、各パルスは、０．１μクーロンに等しい。
【００４９】
この結果、エレクトロクロミックデバイスの充電レベル（ＱＥＣ）は次式により適切に定義される。
ＣＲＥＦ＊２（ＶＨ−ＶＬ）＊ＣＯＵＮＴ
ＣＲＥＦ：基準キャパシタＣ２のキャパシタンス
ＣＯＵＮＴ：１パケット当たりの充電
ＶＨ：ウインドコンパレータの上方のしきい値
ＶＬ：ウインドコンパレータの下方のしきい値
【００５０】
この発明の別の実施例では、エレクトロクロミックデバイスの充電レベル（ＱＥＣ）は次式により適切に定義される。
ＱＥＣ＝ＣＲＥＦ×（ＣＵＮＮＴ）×（ＶＨ−ＶＬ）
この発明のこの実施例では、上記の関係は、Ｉ３の絶対値がＩＥＣ（これはＶｒ１をＲ１で割った絶対値に等しい）の絶対値に等しいときのみ真実である。この発明のこの実施例では、Ｒ１はＲ２に等しくなく、それゆえ、ＩＥＣは、Ｉ２またはＩ３に等しくない。この結果、
ＱＥＣ＝Ｋ×ＣＲＥＦ×（ＣＵＮＮＴ）×（ＶＨ−ＶＬ）
Ｋ：Ｒ２をＲ１×ＡＳＨで割った値に等しい比例定数
ＡＳＨ：サンプルホールド回路３１０の差動入力部の電圧ゲインで、この発明のこの実施例では１に等しい。サンプルホールド回路３１０の差動入力部の電圧ゲインを１以外の値に変えることにより、ＱＥＣのためのべつの計算が得られる。
【００５１】
図３の実施例では、トランジスタＱ１、Ｑ５およびＱ６はＮＭＯＳトランジスタからなり、トランジスタＱ２〜Ｑ４はＰＭＯＳトランジスタである。同様な機能を達成するために他のトランジスタを使用することも他の回路構成を用いてもよいことは当業者には理解されるであろう。加えて、電流Ｉ２は電流Ｉに比例するが、前記電流Ｉ２はＩよりより小さいことに気付くべきである。それゆえ、キャパシタＣ２は、エレクトロクロミックデバイスＥＣのキャパシタンスよりより小さい。この構成では、この発明を実行するのに必要となる電力の合計を低減できる。
【００５２】
図２は、図１のエレクトロクロミック制御装置での使用に適したコントローラの実施例を示す。特に、図２のコントローラ２００は、ＥＣ制御方法４００、少なくとも１つの参照テーブル２３５および可変カウンタ２３７を格納するためのメモリ２３０のほかに、マイクロプロセッサ２２０を備える。マイクロプロセッサ２２０は、電源、クロック回路、キャッシュメモリおよび、ソフトウエア方法を実行するのに支援する回路のごとき、通常のサポート回路２４０と協働する。そのようなため、ソフトウエア処理のようなここで述べた処理ステップのいくつかを、種々のステップを実行するためにマイクロプロセッサ２２０と協働する回路のごとき、ハードウエア内で実行するように設計してもよい。
【００５３】
ＥＣコントローラ２００はまた、図１のユーザーインタフェイス１１０、Ｄ／Ａコンバータ１１５、Ａ／Ｄコンバータ１４０、充電カウンタ３００および極性反転スイッチＳＷＡ−ＳＷＤと、マイクロプロセッサ２２０との間のインタフェイスを形成する入力／出力回路２１０を備える。
【００５４】
ＥＣ制御装置２００は、この発明に基づき、ＥＣ制御機能を実行するようにプログラム化された一般用途のコンピュータとして述べているが、この発明は、特定用途向きの集積回路（ＡＳＩＣ）のごときハードウエアにて実行できる。その場合には、個々で述べた処理ステップは、ソフトウエア、ハードウエアまたはそれらの結合により等価的に実行されるように広く理解される。
【００５５】
この発明のコントローラ２００は、図４に関して以下に述べるＥＣ制御方法４００を実行する。
【００５６】
図４は、図１および図２のコントローラ２００での使用に適した制御方法のフロー図を示す。特に、図４は、ユーザーの入力に応答して、および更にエレクトロクロミックデバイスの温度、決定された適した充電電圧および実際の充電レベルに応答してエレクトロクロミックデバイスの充電レベルを採用するための方法のフローを示す。温度は、例えば温度センサ１４５により与えられてもよく、実際の充電レベルは例えば、充電カウンタ３００により与えられた、ＥＣデバイスの充電量の増大または減少の指示を用いて行った計算により与えられてもよく、そして、適した充電電圧は、温度情報および制御されるＥＣデバイスへの温度情報に関係する参照テーブルに関して決定されてもよい。
【００５７】
図４の方法４００は、ステップ４０５にて開始され、そこで、可変カウンタはゼロに初期化され、そしてＥＣデバイスは充電なしと仮定される。その方法４００は次にステップ４１０に進む。
【００５８】
ステップ４１０では、エレクトロクロミックの充電状態の変化の指示に対するユーザーの入力が受信される。この方法４００は次にステップ４２０に進む。
【００５９】
ステップ４２０では、コントローラ２００は、周囲温度またはエレクトロクロミックデバイスの温度を決定する。この方法４００は次にステップ４３０に進む。
【００６０】
ステップ４３０では、ステップ４２０で決定された温度および参照テーブル２３５の内容に基づき、最小、最大の充電または放電電圧が決定される。この方法４００は次にステップ４４０に進む。
【００６１】
ステップ４４０では、コントローラ２００は、決定された最小および最大の充電または放電電圧に基づき、パワーコンバータ１２０に電流Ｉを供給させる。この方法４００は次にステップ４５０に進む。
【００６２】
ステップ４５０では、所望のＥＣ充電レベルが現ＥＣ充電レベルと比較される。即ち、ステップ４５０にて、ステップ４１０にて受信したユーザーの入力により指示された所望の充電レベルと、エレクトロクロミックデバイスＥＣの現充電レベルと比較される。現充電レベルは充電カウンタ３００により与えられたカウント信号ＣＯＵＮＴに関して決定される。前述したように、充電カウンタ３００は、コントローラ２００へ一連のパルスを出力し、各パルスは、エレクトロクロミックデバイスの充電レベルでの所定の増大または減少を示す。これにより、充電カウンタ３００により与えられたパルスのカウントを維持することにより、および、充電モードの間に受信したパルスに応答して前記パルスを増大し、一方、放電モードの間に受信したパルスに応答して前記カウントを減少することにより、コントローラ２００は、エレクトロクロミックデバイスＥＣの現充電レベルを決定することができる。
【００６３】
ステップ４６０では、コントローラ２００は、極性反転回路に、エレクトロクロミックデバイスＥＣへの適した充電または放電電流を印加させる。この方法４００は次にステップ４７０に進む。
【００６４】
ステップ４７０では、所望の充電レベルに到達したかどうかについての判定がなされる。すなわち、ステップ４７０のように、エレクトロクロミックデバイスが適した充電レベル（つまり適切に白くまたはカラーのレベル）ななっているかを決定するために、充電カウンタ３００により示された現充電レベルが所望の充電レベルと比較される。ステップ４７０での判定で、肯定的な判定があった場合には、本方法４００は、ステップ４８０に進み、本方法が終了する。もしステップ４７０での判定で否定的な判定があった場合、本方法４００はステップ４２０〜４７０を繰返す。
【００６５】
上述した発明は、特にバッテリ給電のエレクトロクロミックデバイスの適用、例えば、１対のめがねとレンズ（つまりサングラス）でのレンズへのエレクトロクロミックのコーティングの充電レベルの制御に適する。本発明はまた、自動車、建築学および航空機のガラスおよび／または、ディスプレイや同様なものに対する光沢化、宣伝化への適用がある。
【００６６】
１つの実施例では、電／光またはエレクトロクロミックデバイスは、レンズ（処理またはその他）、車のフロントガラス、窓ガラス、航空機の透明または他の透明性または半透明の材料と光学的に協働する。めがねの実施例では、めがねのハウジングは、充電電圧または電流を供給するための電源とともに、本発明に基づく制御方法を実行するためのコントローラを備える。その電源は、適した充電電圧または電流を供給できるバッテリ、燃料電池、太陽電池またはいずれかの他の電源を含む。好ましくは、電源は、めがねにより決定される形状の要素内に、またはメガネを含むヘルメットに装着するのに十分に小型である。着用可能な電源も本発明物により意図されている。
【００６７】
最大充電電流は、ＥＯまたはＥＣデバイスの褐色化または泡立ちを避けるために適切に選択され、最小充電レベルは、ＥＯまたはＥＣデバイスの色彩変化の最低速度を与えるために選択される。これにより、最大充電レベルは、デバイスの損傷を避けるために選択され、最小充電レベルは、制御されたＥＣデバイスを含む製品の性能に関する消費者の最小の期待に迎合するように選択される。
【００６８】
本発明の上述した実施例および、当業者に明白となる他の実施例は、安定したエレクトロクロミックの限界内でＥＣデバイスを制御できる温度に対して、ＥＣデバイスに適用される全体の充電を制御し、そして、ＥＣデバイスに適用される前記充電での速度を制御し、これにより、有用な永続性のある寿命を与える。制御されるＥＣデバイスの２次的なエレクトロクロミックの反応を避けるために電荷転送の最大速度が選択される。１つの実施例では、電荷転送の最大速度は、制御されるＥＣデバイスの動作が維持される最小の望ましい速度を確実にするために与えられる。
【００６９】
本発明の教示を具体化した種々の実施例が詳しく紹介され、述べられたが、当業者には、これらの教示を更に具体化した他の種々の実施例を容易に実施できるであろう。また、この発明の教示は、上述した詳細な説明とそれに関連した図面により容易に理解されたであろう。尚、図面において、理解を容易とするために、図面で共通する同一の要素に対しては可能な限り同一の参照番号を用いた。
【図面の簡単な説明】
【図１】エレクトロクロミック制御装置のブロック図
【図２】図１のエレクトロクロミック制御装置での使用に適したコントローラのブロック図
【図３】図１のエレクトロクロミック制御装置での使用に適した充電カウンタの回路図
【図４】図１のエレクトロクロミック制御装置および図２のコントローラでの使用に適した制御方法のフロー図
【符号の説明】
１００：エレクトロクロミック制御装置、１０５：基準電圧回路、１１０：ユーザーインタフェイス、１１５：Ｄ／Ａコンバータ、１２０：パワーコンバータ、１２５：極性反転回路、１４０：Ａ／Ｄコンバータ、１４５：温度センサ、２００：コントローラ、３００：充電カウンタ、４００：制御方法、ＥＣ：エレクトロクロミックデバイス
【図１】
2004507775.tif 000005
【図２】
2004507775.tif 000006
【図３】
2004507775.tif 000007
【図４】
2004507775.tif 000008
【国際公開パンフレット】
2004507775.tif 000009
2004507775.tif 000010
2004507775.tif 000011
2004507775.tif 000012
2004507775.tif 000013
2004507775.tif 000014
2004507775.tif 000015
2004507775.tif 000016
2004507775.tif 000017
2004507775.tif 000018
2004507775.tif 000019
2004507775.tif 000020
2004507775.tif 000021
2004507775.tif 000022
2004507775.tif 000023
2004507775.tif 000024
2004507775.tif 000025
2004507775.tif 000026
2004507775.tif 000027
2004507775.tif 000028
2004507775.tif 000029
2004507775.tif 000030
2004507775.tif 000031
2004507775.tif 000032
2004507775.tif 000033
2004507775.tif 000034
2004507775.tif 000035
2004507775.tif 000036
2004507775.tif 000037
2004507775.tif 000038
2004507775.tif 000039
2004507775.tif 000040
【国際公開パンフレット（コレクトバージョン）】
2004507775.tif 000041
【国際調査報告】
2004507775.tif 000042
2004507775.tif 000043
2004507775.tif 000044